(57)【要約】【課題】本考案は踏板自体がトリガー具の役目を兼備し、罠全体の構造が簡単でコストも安価なものとなり、且つ、罠の設置作業が極めて簡単で、更に捕獲する獣類の種類に応じて捕獲条件が変更できる括り罠を提供する。【解決手段】矩形状の踏板本体１と、その長手方向中央で上下両側に取付けた一対の支持部材２と、支持部材２に両開口端側を回動自在に装着した略コの字状の帯板31,32の２つとから成すと共に帯板31,32の中間部が踏板本体１の両端から突出する括り輪装着帯体３と、踏板本体１から支持部材２が上下移動する角度調節手段４と、踏板本体１が落下可能に支えて設置する設置枠５と、から少なくとも成る踏板Ａを具備し、一端側に締付体７を介して締付け可能な括り輪部6aを形成した括りワイヤー６と、該括りワイヤー６が貫通するコイルバネ部材８と、括りワイヤー６に設けたストッパー９と、で少なくとも構成する。【選択図】図１
0003170042.tif 000002
【実用新案登録請求の範囲】
【請求項１】
矩形状の踏板本体（１）と、該踏板本体（１）の長手方向中央で上下両側に取付けた一対の支持部材（２）と、該支持部材（２）に両開口端側を回動自在に装着した略コの字状の帯板（31）,（32）の２つから成り、この帯板（31）,（32）の中間部が前記踏板本体（１）の長手方向両端から突出する括り輪装着帯体（３）と、前記踏板本体（１）に対して前記支持部材（２）を上下移動させる角度調節手段（４）と、前記踏板本体（１）が落下可能に支えて設置するための設置枠（５）と、から少なくとも成る踏板（Ａ）を具備し、この踏板（Ａ）と、一端側に締付体（７）を介して締付け可能な括り輪部（6a）を形成した括りワイヤー（６）と、この括りワイヤー（６）が貫通するコイルバネ部材（８）と、このコイルバネ部材（８）の後方で前記括りワイヤー（６）に設けたストッパー（９）と、で少なくとも構成したことを特徴とする括り罠。
【請求項２】
前記踏板本体（１）の長手方向に沿ってガイド片（1a）が両側に設けられ、且つ、前記設置枠（５）の左右には、その上端が斜め外方に向けて傾斜する傾斜片（53）と成された請求項１記載の括り罠。
【請求項３】
前記踏板本体（１）に小穴（1b）を穿設し、該小穴（1b）に一端を挿通する保持用ワイヤー（10）が具備された請求項１又は２記載の括り罠。
【考案の詳細な説明】
【技術分野】
【０００１】
本考案は獣類を捕獲する括り罠に関し、特には構造が簡単で且つ捕獲対象獣類に対して、捕獲の条件が変えられる括り罠に関する。
【背景技術】
【０００２】
従来、獣類を捕獲する装置として、獣類の足をワイヤー等で括って捕獲する括り罠が一般に知られている。
【０００３】
この従来の括り罠は、例えば特許文献１（実用新案登録第３０３８５１０号公報）に開示されているように、この捕獲用罠は、捕獲対象の通過道又は近傍に埋め込まれる筒状の本体と、可撓性を有する長尺材により形成されると共に、前記本体に挿通され、この本体から引き出されて前記捕獲対象の通過道上に延長された一端に締付け可能な輪状絞り部を備えた捕獲用絞り材と、前記本体の頂部に捕獲用絞り材が貫通する状態で嵌装された締付体と、この締付体を前記捕獲用絞り材により導かれ前記輪状絞り部に向かう方向に付勢する部材と、前記捕獲用絞り材の輪状絞り部が囲む通過道上の領域に配置され、捕獲対象の体重により変位する重量受体と、この重量受体の下側領域において前記本体により回動可能に支持されると共に、一片が前記重量受体に下面に連結され、他片が前記締付体に設けた係合溝部に係合された変位伝達部材とを具備し、前記変位伝達部材の他片により前記締付体を付勢部材の付勢力に抗して本体に拘束すると共に、前記重量受体に捕獲対象の重量が作用した時、前記他片に連動して一片を回動変位させ前記本体に対する拘束を解除して、この締付体を付勢部材の付勢力により捕獲用絞り材の輪状絞り部に圧接してこの輪状絞り部を締付け、捕獲対象の身体のいずれかの部分を搦め捕るようにしたことを特徴とするものである。
【０００４】
また、特許文献２（特開２００９−２５４３６２号公報）に開示されているように、この発明は、括り罠を仕掛ける時に使用する補助器具であって、足落とし空間を介して両側に配置される補助器具基体を有し、該補助器具基体は、足落とし空間側に向かって下り傾斜を有する傾斜誘導部と、該傾斜誘導部の外縁側とに設けられており、罠を設置する時は括り輪を止めておき、罠が作動する時には、括り輪が離れるようにした括り輪設置手段を備えており、前記各補助器具基体は、接続部材を介して連結又は相互に結合されており、各補助器具基体と接続部材との連結又は結合箇所が回動できるように構成されている括り罠用仕掛け補助器具である。
【先行技術文献】
【特許文献】
【０００５】
【特許文献１】実用新案登録第３０３８５１０号公報
【特許文献２】特開２００９−２５４３６２号公報
【考案の概要】
【考案が解決しようとする課題】
【０００６】
上記従来の特許文献１の捕獲用罠及び特許文献２の括り罠用仕掛け補助器具に於いては、いずれにしてもワイヤーの括り輪を縮径する際に、踏板と連動するロック解除手段（トリガー具等）を必要とし、罠全体の構造が複雑でコスト的にも高価となる。
【０００７】
又、このようなトリガー具を用いると、トリガー具の作動を確実にするためには、トリガー具と連動する踏板を設置する際に、踏板の下側地中を深く掘る必要が生じるため、踏板の設置作業に手間が掛かり、特に山中で足場が悪いと、その設置作業が難しい等の問題点を有していた。
【０００８】
そこで本考案は、従来使用しているトリガー具を必要とせず、踏板自体がトリガー具の役目を兼備し、罠全体の構造が簡単でコストも安価な括り罠を提供することを目的とする。
【０００９】
本考案の他の目的は、罠の設置作業で地中に深い穴を掘る必要がなく、山中に於ける設置作業が極めて簡単な括り罠を提供するにある。
【００１０】
また本考案の他の目的は、捕獲する獣類の種類に応じて、捕獲条件を変更可能な罠の設置ができる括り罠を提供するにある。
【課題を解決するための手段】
【００１１】
本考案は上記問題点を解消するために成されたもので、矩形状の踏板本体と、該踏板本体の長手方向中央で上下両側に取付けた一対の支持部材と、該支持部材に両開口端側を回動自在に装着した略コの字状の２つの帯板から成り、この帯板の中間部が踏板本体の長手方向両端から突出する括り輪装着帯体と、踏板本体に対して支持部材を上下移動する角度調節手段と、踏板本体が落下可能に支えられて設置するための設置枠と、から少なくとも成る踏板を具備し、この踏板と、一端側に締付体を介して締付け可能な括り輪部を形成した括りワイヤーと、この括りワイヤーが貫通するコイルバネ部材と、このコイルバネ部材の後方で括りワイヤーに設けたストッパーと、で少なくとも構成したものとする。尚、本考案で言う「踏板本体の長手方向中央で上下両側に取付け」とは、図２や図３に示すように図中に於いて上下で且つそれぞれに取付け、且つ、その位置は長手方向の中央部に取付けることを指すものとする。又、本考案で言う「帯板の中間部」とは、両側から折曲して略コの字状に形成された際、開口側と反対側の真直ぐな基部側を指すものとする。
【００１２】
また踏板本体の長手方向に沿ってガイド片が両側に設けられ、且つ、設置枠の左右には、その上端が斜め外方に向けて傾斜する傾斜片と成されるのが良く、又、踏板本体に小穴を穿設し、該小穴に一端を挿通する保持用ワイヤーが具備されたものとするのが好ましい。
【考案の効果】
【００１３】
本考案では、踏板本体（１）に獣類の足が乗ると、踏板本体（１）が下げられると共に括り輪装着帯体（３）の外周に締付けながら掛着した括りワイヤー（６）は、帯板（31）,（32）を上方に回転することにより外され、瞬時に獣類の足を括り付けることが出来るため、獣類を確実に捕獲可能なものとなる。更に踏板本体（１）が落下可能に支えられて設置枠（５）を設置させているため、踏板（Ａ）を地中に設置する際に、踏板（Ａ）の設置が容易にでき、土質や掘った穴の形状等に左右されず、設置枠（５）によって括り輪装着帯体（３）の設置が正確で、且つ、帯板（31）,（32）の作動も確実なものとなる。このため、本考案は踏板（Ａ）自体が括りワイヤー（６）の括り輪部（6a）を、捕獲するまで広げた状態に保持すると共に、括り輪部（6a）を縮径する際のトリガー具の役目も兼備し、構造が極めて簡単なものとなるのである。
【００１４】
更に獣類を捕獲する際に、獣類が踏板本体（１）の踏む箇所に左右されず、外周を上方にガイドし回転する帯板（31）,（32）がコイルバネ部材（８）の弾発力と相まって括り輪部（6a）を上方に持ち上げ、括り輪部（6a）が獣類の足の上部を括り付けることができるため、獣類が括りワイヤー（６）から外れる心配もない。
【００１５】
また本考案では、括り罠を山中に設置する際に、踏板（Ａ）がトリガー機能を備えているため、深い穴を掘る必要がなく、踏板（Ａ）が多少土の中に入る程度の浅い穴でも設置でき、作業性の悪い山中に於いても設置作業が極めて容易である。
【００１６】
又、設置枠（５）の左右を傾斜片（53）と成すと共に踏板本体（１）にガイド片（1a）を設けることにより、踏板（Ａ）に括りワイヤー（６）を絞め付けて装着する際に、溝（31a）,（32a）が括りワイヤー（６）の括り輪部（6a）を保持し、踏板（Ａ）から外れ難く、踏板（Ａ）に括りワイヤー（６）を装着する作業が容易にできるものとなる。しかも、溝（31a）,（32a）により、獣類が踏板（Ａ）を踏んだ時に、帯板（31）,（32）を上方に回転させた際の角度がまだ少ない内に、括りワイヤー（６）の括り輪部（6a）が踏板（Ａ）から直ぐに外れようとしても、溝（31a）,（32a）で阻止され、踏板（Ａ）がある程度回転した際に初めて外れるので、括り輪部（6a）が獣類の足のより上方に掛かり捕獲性が高くなるのである。
【００１７】
更に本考案では踏板本体（１）に小穴（1b）を穿設し、その小穴（1b）に挿通する保持用ワイヤー（10）を備えたことにより、獣類を捕獲した際に暴れても、一端を立木や杭等に固定した保持用ワイヤー（10）で踏板（Ａ）が保持され、山の谷間等に落ちて、紛失することがないものとなる。
【図面の簡単な説明】
【００１８】
【図１】本考案の括り罠全体を示す説明図である。
【図２】本考案の踏板を示す斜視図である。
【図３】本考案の踏板に括りワイヤーと保持用ワイヤーを装着した状態を示す説明図である。
【図４】本考案の角度調節手段による括り輪装着帯体のセット角度を示す説明図である。
【図５】本考案の踏板の設置状態を示す説明図である。
【図６】本考案の括りワイヤーと締付体を示す説明図である。
【考案を実施するための形態】
【００１９】
本考案の実施形態を図１〜図３に基づいて説明する。（Ａ）は踏板であり、該踏板（Ａ）は金属製で後述する踏板本体（１），支持部材（２），括り輪装着帯体（３），角度調節手段（４），設置枠（５）とから少なくとも構成されたものである。（１）は長方形状で金属板の踏板本体であり、該踏板本体（１）には、踏板本体（１）の長手方向に沿って外縁を折曲して立設した図２、図３に示すガイド片（1a）と、踏板本体（１）に穿設した１個或いは２個以上の小穴（1b）とがある。この小穴（1b）は踏板（Ａ）の紛失防止用のものである。
【００２０】
（２）は踏板本体（１）の長手方向中央で上下両側（図中に於いては上下）に取付けた一対の支持部材であり、該支持部材（２）は金属板を断面Ｌ字状に折曲して形成され、踏板本体（１）に対して上下移動可能に取付けられている。（３）は支持部材（２）に両開口端側を回動自在に装着した略コの字状の金属製帯板（31）,（32）の２つから成り、且つ、踏板本体（１）の長手方向両端から突出する括り輪装着帯体であり、該括り輪装着帯体（３）の帯板（31）,（32）の中間部には溝（31a）,（32a）が形成されている。また括り輪装着帯体（３）としては、後述する括りワイヤー（６）の括り輪部（6a）を掛け止めするための機能を有するものであれば、上記形状に限定されるものではない。又、前記溝（31a）,（32a）の役目は、帯板（31）,（32）に括りワイヤー（６）をセットする際に位置が決まり易くなると共に括りワイヤー（６）が帯板（31）,（32）から直ぐに外れることなく、獣類の足を確実に括り付けることが出来るためのものである。
【００２１】
（４）は踏板本体（１）に対して支持部材（２）を上下移動する角度調節手段であり、該角度調節手段（４）には支持部材（２）の平面側に挿入する調節ネジ（41）と、調節ネジ（41）の抜け防止用のストップリング（42）と、前記調節ネジ（41）に螺合するナット（43）とがある。前記ストップリング（42）は調節ネジ（41）が支持部材（２）の平面側に挿入された後、下方から装着すれば良い。また前記ナット（43）は踏板本体（１）の裏面に溶接して固着させておくと良い。尚、前記ストップリング（42）の代りにストップワッシャーを用いても良い。又、前記角度調節手段（４）は上記構造に限定されるものではない。（５）は踏板本体（１）が落下可能に支えられて設置するための金属製の設置枠であり、該設置枠（５）は、踏板本体（１）が容易に入る大きさを有し、設置枠（５）の前後（図２の図中に於いては上下）には立片（51）があり、該立片（51）の一方の中央には切欠（52）が穿設されており、立片（51）の左右には立片（51）よりも低い傾斜片（53）がある。更に設置枠（５）の底面には大きな四角穴（54）が穿設され、その底面の縁には丸穴（55）が穿設されている。この丸穴（55）は設置枠（５）の紛失防止用のものである。尚、前記設置枠（５）の役目は上記以外に、踏板本体（１）の落下距離を確保させると共に土が内部に入らないように維持させる役目も果たす。
【００２２】
（６）は一端側に後述する締付体（７）を介して締付け可能な括り輪部（6a）を形成した括りワイヤーであり、この括りワイヤー（６）としては、各数本の金属細線を撚り合せた柔軟性のあるもので、動物の足が容易に括り付けられるように弾力性を付勢可能となるものが好ましく、その太さとしては、例えば４ｍｍ〜５ｍｍ程度のものが好ましい。
【００２３】
（７）は締付体であり、該締付体（７）は図６に示すように、湾曲形状のガイド箇所に長穴（7a）を穿設し、下方の座部（71）と平行な上方の突出片（72）とを一体に形成した金属製の金具であり、座部（71）には括りワイヤー（６）が挿通する丸穴（71a）を穿設し、突出片（72）の丸穴（71a）から引き出された括りワイヤー（６）が長穴（7a）を挿通し、括り輪部（6a）を形成し、その括り輪部（6a）の先端部を突出片（72）に穿設した丸穴（72a）に挿通し、挿通した先端部を結んで抜けないようにしている。これにより、コイルバネ部材（８）の弾発力で締付体（７）が括り輪部（6a）を縮径する役目を成す。尚、この締付体（７）については、既に公知であるので、これ以上の説明を省略する。
【００２４】
（８）は括りワイヤー（６）を貫通させる圧縮用のコイルバネ部材であり、該コイルバネ部材（８）は締付体（７）の下部に位置させておく。またコイルバネ部材（８）は圧縮した状態で弾発力を付与させるものであり、その弾発力は、括りワイヤー（６）の括り輪部（6a）が縮径して捕獲した動物の足から決して外れない強さのものである。
【００２５】
（９）は中心に挿通穴（9a）を穿設したストッパーであり、これはコイルバネ部材（８）の後方で括りワイヤー（６）に設け、挿通穴（9a）に括りワイヤー（６）を挿通させて設けている。このストッパー（９）には、端部に円形の鍔（9b）を形成し、且つ側面に止めネジ（91）を螺合させている。このストッパー（９）はコイルバネ部材（８）を圧縮する際に、鍔（9b）側を手で押して圧縮させ、所定の圧縮が完了した位置で止めネジ（91）を括りワイヤー（６）にネジ込み、その位置に圧縮状態のコイルバネ部材（８）を弾発的に保持するためのものである。また前記止めネジ（91）としては、手で簡単に締付けできる蝶ネジを使用するのが好ましい。
【００２６】
以上、括りワイヤー（６）については、その括り輪部（6a）を縮径するための締付体（７）, コイルバネ部材（８）及びストッパー（９）とから少なくとも構成するものであるが、これ以外に他の付属部材を設けても良く、例えば、図示しないが、コイルバネ部材（８）に筒体を外嵌するのが好ましい。この筒体により、コイルバネ部材（８）を手で圧縮する際に、コイルバネ部材（８）の変形が防止され圧縮作業が極めて容易となる。
【００２７】
（10）は踏板本体（１）の小穴（1b）に一端を挿通する保持用ワイヤーであり（図３参照）、この挿通した一端側は小穴（1b）を挟んで止め環（10a）と結び目を作り、小穴（1b）から抜けられないようにし、他端は立木又は杭等に結んで設置する。この保持用ワイヤー（10）は踏板（Ａ）を設置する際に、捕獲した動物が暴れて踏板（Ａ）が山中の谷間等に落ちて紛失するのを防止するためのものである。尚、前記保持用ワイヤー（10）を踏板本体（１）に装着する方法は、図３に示す方法に限定されるものではない。
【００２８】
次に本考案品の使用方法について説明する。予め捕獲する目的の獣類に応じた支持部材（２）の高さ調節をして所定角度にセットしておく。この時、角度調節手段（４）の調節ネジ（41）を回して支持部材（２）の高さを調節するが、うさぎ等の小獣類を捕獲する場合には、踏板本体（１）から支持部材（２）の高さを小さくし、猪や鹿等の大きな獣類を捕獲する場合には、小獣類よりも調節ネジ（41）を多く回し、踏板本体（１）に対して支持部材（２）の高さを高く調節する。つまり、小獣類の時には帯板（31）,（32）の所定角度は図４（ａ）の如く小さくさせ、大きな獣類の時には帯板（31）,（32）の所定角度は図４（ｂ）の如く大きくなるように、支持部材（２）の高さを調節すれば良い。この時、帯板（31）,（32）の所定角度が大きくなるに従い、セット時の括り輪部（6a）の締付力による上向きの力（鉛直分力）が大きくなる。このため、例えば図４（ｂ）の所定角度の状態で小獣類が踏板本体（１）に乗っても、上向きの力は小獣類の重量よりも大きくセットされているので、小獣類に対しては踏板（Ａ）が作動せず、猪や鹿等の大きな獣類が乗った時にだけ作動するようにさせておくことにより、目的の獣類が捕獲可能となる。このように角度調節手段（４）で捕獲対象の獣類の捕獲条件を自由に変えることが出来るのである。
【００２９】
先ず始めに本考案の括り罠の設置について説明する。予め支持部材（２）の高さ調節された踏板（Ａ）の帯板（31）,（32）の外周に、括りワイヤー（６）の括り輪部（6a）を回し掛けて装着し、ストッパー（９）を括り輪部（6a）の方向に手で押して、コイルバネ部材（８）を、締付体（７）を介して圧縮状態にさせ、その状態でストッパー（９）の止めネジ（91）を締付けて、ストッパー（９）を括りワイヤー（６）に固定する。この時、括り輪部（6a）は帯板（31）,（32）の外周と踏板本体（１）の外縁に立設したガイド片（1a）との間に配置されると共に帯板（31）,（32）の溝（31a）,（32a）に沿って括りワイヤー（６）がセットされるため、括りワイヤー（６）の括り輪部（6a）の設置が簡単で確実に行えるものとなる。この状態に於いて括り輪部（6a）は、コイルバネ部材（８）の弾発力と締付体（７）によって、括り輪装着帯体（３）に弾発的に装着される。これで踏板（Ａ）に対する括りワイヤー（６）の設置準備は完了する。
【００３０】
次に本考案の括り罠を設置する場所について説明する。予め地面に浅い穴を掘り、該穴の内部に設置枠（５）を置き、その上に、括り輪部（6a）を装着した括り輪装着帯体（３）を図５に示すように乗せて踏板（Ａ）を設置する。この時、踏板（Ａ）の設置が安定し、且つ、捕獲時の括り輪装着帯体（３）の作動が確実となり、捕獲率を高めるものとなる。踏板（Ａ）の設置が完了した後、括りワイヤー（６）の端部を立木又は地中に打ち込んだ杭に結ぶと共に踏板本体（１）の小穴（1b）に挿通して挿入した保持用ワイヤー（10）の端部を括りワイヤー（６）が結んだ立木や杭に結び、更に踏板（Ａ）の上に落ち葉や土を被せる。これで括り罠の設置が完了する。
【００３１】
次に本考案の作用を図５に基づいて説明する。先ず獣類の足が踏板本体（１）の上に乗ると、踏板本体（１）が図中矢印のように下がって設置枠（５）の底面に接すると共に帯板（31）,（32）は図中矢印のように回転し、括り輪装着帯体（３）に装着している括り輪部（6a）が勢いよく外れ、同時にコイルバネ部材（８）の弾発力で括り輪部（6a）が瞬時に縮径し、踏板（Ａ）の踏板本体（１）に乗った獣類の足を括り捕獲するのである。
【００３２】
この時、帯板（31）,（32）の回転で括り輪部（6a）が括り輪装着帯体（３）から外れるタイミングが早いと、括り輪部（6a）が獣類の足の下方で括るため、動物が暴れて逃げ易くなる。しかしながら本考案では、帯板（31）,（32）の溝（31a），（32a）が形成されているため、踏板本体（１）を獣類が踏んだ際に、帯板（31）,（32）の少しの回転角度で括り輪部（6a）が外れようとしても、溝（31a），（32a）で外れるのを防止し、帯板（31）,（32）がある程度回転して、初めて括り輪部（6a）が外れるようにしている。更に踏板本体（１）の左右端に獣類の足が乗った場合であっても、帯板（31）,（32）が設置枠（５）の傾斜片（53）の乗っているため、帯板（31）,（32）がスムーズに下方へ滑り落ちることで、獣類の足が括り輪部（6a）でより一層確実に挿入されて括り付けられ、獣類の捕り逃がしが殆んどなくなる。
【００３３】
このように本考案は、括り輪部（6a）が帯板（31）,（32）でより高く持ち上げられてから外れるため、捕獲する獣類の足のより上方を括ることができ、獣類を確実に捕獲することができるものとなる。また溝（31a），（32a）は、括り輪部（6a）を括り輪装着帯体（３）に掛着する際に、括り輪部（6a）が括り輪装着帯体（３）の上方から外れるのを防止する役目も果たすのである。
【符号の説明】
【００３４】
Ａ  踏板
１  踏板本体
1a  ガイド片
1b  小穴
２  支持部材
３  括り輪装着帯体
31,32  帯板
31a,32a  溝
４  角度調節手段
５  設置枠
６  括りワイヤー
6a  括り輪部
７  締付体
８  コイルバネ部材
９  ストッパー
10  保持用ワイヤー
【図１】
0003170042.tif 000003
【図２】
0003170042.tif 000004
【図３】
0003170042.tif 000005
【図４】
0003170042.tif 000006
【図５】
0003170042.tif 000007
【図６】
0003170042.tif 000008